(57)【要約】【課題】  下地材下面の空間に内部結露が発生しないコンクリート床構造を提供することである。【解決手段】  コンクリート床構造１は、コンクリートスラブ７の上面に不陸調整材８を介して多数の床下地材９が密接状に敷き詰められて下床４が形成され、該下床４の上面と面一になるように壁側２に際根太３が設けられ、該際根太３と下床４との接合部を覆うようにシール材５が接着され、該シール材５が接着された下床４上に仕上材６が敷き詰められてなる。【選択図】図１
2005133421.tif 000002
【特許請求の範囲】
【請求項１】
コンクリートスラブの上面に不陸調整材を介して多数の床下地材が密接状に敷き詰められて下床が形成され、該下床の上面と面一になるように壁側に際根太が設けられ、該際根太と下床との接合部を覆うようにシール材が接着され、該シール材が接着された下床上に仕上材が敷き詰められてなることを特徴とするコンクリート床構造。
【請求項２】
際根太の下側における束立て間には断熱材が充填されるとともに、下床の下面周縁には連続的な不陸調整材が設けられて、該不陸調整材の内側の空間が密閉されたことを特徴とする請求項１に記載のコンクリート床構造。
【請求項３】
際根太の下側における束立て間には断熱材が充填されるとともに、下床の周縁に位置した床下地材の下面周縁には連続的な不陸調整材が設けられ、該不陸調整材が設けられた床下地材の内側の空間が密閉されたことを特徴とする請求項１に記載のコンクリート床構造。
【請求項４】
床下地材は熱可塑性発泡樹脂からなる下地部の下面に、中実な支持体が突出形成されてなることを特徴とする請求項１〜３のいずれかに記載のコンクリート床構造。
【発明の詳細な説明】
【技術分野】
【０００１】
本発明はコンクリート床構造に関するものである。
【背景技術】
【０００２】
従来、コンクリート床構造としては、例えば特開平１０−３３１４０１号公報の発明が知られている。また、この他にも、図６に示すようなコンクリート床構造２４が知られている。このコンクリート床構造２４は、コンクリートスラブ２５の上にモルタルなどの不陸調整材２６を介して発泡プラスチックス製の床下地材２７が密接に敷き詰められて下床２８が形成され、該下床２８上に仕上材２９が敷き詰められて構成されている。また壁３０側には束立て３１によって際根太３２が設けられて下床２８の上面と面一になっている。
【特許文献１】特開平１０−３３１４０１号公報
【発明の開示】
【発明が解決しようとする課題】
【０００３】
しかし、上記のようなコンクリート床構造２４は、際根太３２と下床２８との接合部に隙間３３があるため、ここから入った水蒸気によって下地材下面の空間３４に内部結露が発生してしまうという問題があった。
【０００４】
本発明は上記のような問題に鑑みてなされたものであり、その目的は、際根太下部の空間や下地材下面の空間に内部結露が発生しないコンクリート床構造を提供することである。
【課題を解決するための手段】
【０００５】
本発明のコンクリート床構造は、コンクリートスラブの上面に不陸調整材を介して多数の床下地材が密接状に敷き詰められて下床が形成され、該下床の上面と面一になるように壁側に際根太が設けられ、該際根太と下床との接合部を覆うようにシール材が接着され、該シール材が接着された下床上に仕上材が敷き詰められてなることを特徴とする。また際根太の下側における束立て間には断熱材が充填されるとともに、下床の下面周縁には連続的な不陸調整材が設けられて、該不陸調整材の内側の空間が密閉されたことを含む。また際根太の下側における束立て間には断熱材が充填されるとともに、下床の周縁に位置した床下地材の下面周縁には連続的な不陸調整材が設けられ、該不陸調整材が設けられた床下地材の内側の空間が密閉されたことを含む。また床下地材は熱可塑性発泡樹脂からなる下地部の下面に、中実な支持体が突出形成されてなることを含むものである。
【発明の効果】
【０００６】
下床と際根太との接合部の上面に接着されたシール材によって、下床下面の空間に水蒸気が入り込まないため、内部結露の発生を防ぐことができる。また際根太の下側における束立て間に充填された断熱材と、下床の下面周縁、または少なくとも外気に接する側の下面に連続的に設けた不陸調整材とにより、該不陸調整材の内側の空間が密閉されるので、この空間に水蒸気が入り込むのを防ぐことができる。また際根太の下側における束立て間に充填された断熱材と、下床の周縁に位置した床下地材の下面周縁に連続的に設けられた不陸調整材とにより、該不陸調整材が設けられた床下地材の内側の空間が密閉されるので、この空間に水蒸気が入り込むのを防ぐことができる。
【発明を実施するための最良の形態】
【０００７】
図１は第１の実施の形態のコンクリート床構造（以下床構造という）１の平面図であり、この床構造１は、壁２側の際根太３と下床４との接合部を覆うようにシール材５が接着され、該シール材５が接着された下床４上に仕上材６が敷き詰められて構成されている。
【０００８】
この下床４はコンクリートスラブ７の上面にモルタルなどの不陸調整材８を介して多数の床下地材９が密接状に敷き詰められて形成され、束立て１０を介して設けられた際根太３に密接されている。この下床４の上面は際根太３の上面と面一になっており、これらの接合部の全てに接着テープなどのシール材５が貼られて隙間１１を塞いで、下床４下面の空間１２を密閉している。したがって、この空間１２内には水蒸気が入らないので、内部結露の発生を防ぐことができる。
【０００９】
この床下地材９は、図２に示すように、ポリスチレン系樹脂やポリオレフイン系樹脂などの熱可塑性発泡樹脂からなる下地部１３と、その下面に突設された支持体１４とが一体的に形成され、前記下地部１３の上面には桟木１５が埋設されている。この支持体１４は、下地部１３と一体形成されるが、ばあいにより圧縮バネ定数が３０×１０6Ｎ／ｍ2以下のエラスティックを接着剤で合体化された溝のない一体ものとして形成され、下地部１３とずれていることにより床下地材９の周囲に合いじゃくりとしての接続段部１６が形成されている。
【００１０】
この独立気泡の熱可塑性発泡樹脂としては、高密度ポリエチレン、線状低密度ポリエチレン、ポリプロピレン、プロピレン・エチレン共重合体、スチレン・ポリエチレン共重合体などからなる密度が８〜４０ｇ／ｌの発泡形成体が使用される。このような支持体１４にすることより、下記の表１および表２に示すように、ＪＩＳ１４４０の評価方法に基づく、重量床衝撃音における６３Ｈｚの遮音性、および軽量床衝撃音における２５０〜１ＫＨｚの遮音性が高められることを確認することができた。
なお、この下記の表における試験体の（１）は支持体１４に溝または中空部のある床下地材９であり、試験体の（２）は支持体１４に溝または中空部のない床下地材９であり、試験体の（３）は支持体１４にエラスティックが合体化された溝または中空部のない床下地材９である。
【００１１】
【表１】
2005133421.tif 000003
【００１２】
【表２】
2005133421.tif 000004
【００１３】
また図３は第２の実施の形態の床構造１７である。この床構造１７はシール材５を際根太３と下床４との接合部だけでなく、壁２と際根太３との接合部にまでわたって貼り付けたものであり、これ以外は第１の実施の形態の床構造１と同じ構成である。このように二つの接合部の隙間１１が完全に塞がれることにより、下床下面の空間１２の密閉性が高められ、ここに水蒸気が入り込まないため内部結露の発生を完全に防ぐことができる。
【００１４】
また図４は第３の実施の形態の床構造１８の底面図（Ａ−Ａ断面図）である。この床構造１８は際根太３の下側における束立て１０間に断熱材１９を充填するとともに、下床４の下面周縁に連続的な不陸調整材２０を設けて、その内側の空間１２を密閉したものであり、これ以外は第１または第２の実施の形態の床構造１、１７と同じ構成である。
【００１５】
これは、仮に、第１または第２の実施の形態の床構造１、１７における際根太３と下床４との接合部または、壁２と際根太３との接合部から水蒸気が入ったとしても、これが連続的な不陸調整材２０によって下床下面の空間１２へ入り込むのを防ぐものであり、二重の防備を施したものである。この不陸調整材２０はモルタル質、または軽量骨材入りウレタン系接着剤系の壁からなり、これに床下地材９が設置されている。
【００１６】
また図５は第４の実施の形態の床構造２１の底面図（Ｂ−Ｂ断面図）である。この床構造２１は、際根太３の下側における束立て１０間に断熱材１９を充填するとともに、下床４の周縁に位置した床下地材９の下面周縁に形成された連続的な不陸調整材２２により、その内側の空間１２を密閉したものであり、これ以外は第１または第２の実施の形態の床構造１、１７と同じ構成である。これは内外の不陸調整材２０、２２によって、下床下面の空間１２へ水蒸気が入るのを防いで、密閉性をより一層高めたものである。
【００１７】
なお、上記の実施の形態におけるシール材５および連続的な不陸調整材２２は、少なくとも外気に接する側に位置する床下地材９の上面および下面に設けることもできる。
【図面の簡単な説明】
【００１８】
【図１】第１の実施の形態の床構造であり、（１）は平面図、（２）は同一部省略断面図である。
【図２】床下地材であり、（１）は正面図、（２）は同底面図である。
【図３】第２の実施の形態の床構造であり、（１）は一部省略平面図、（２）は同一部省略断面図である。
【図４】第３の実施の形態の床構造であり、（１）は底面図、すなわち（２）のＡ−Ａ線断面図、（２）は同一部省略断面図である。
【図５】第４の実施の形態の床構造であり、（１）は底面図、すなわち（２）のＢ−Ｂ線断面図、（２）は同一部省略断面図である。
【図６】従来の床構造であり、（１）は平面図、（２）は同一部省略断面図である。
【符号の説明】
【００１９】
１、１７、１８、２４  床構造
２、３０  壁
３、３２  際根太
４、２８  下床
５  シール材
６、２９  仕上材
７、２５  コンクリートスラブ
８、２０、２２、２６  不陸調整材
９、２７  床下地材
１０、３１  束立て
１１、３３  隙間
１２、３４  空間
１３  下地部
１４  支持体
１６  接続段部
１９  断熱材
【図１】
2005133421.tif 000005
【図２】
2005133421.tif 000006
【図３】
2005133421.tif 000007
【図４】
2005133421.tif 000008
【図５】
2005133421.tif 000009
【図６】
2005133421.tif 000010